(57)【要約】【目的】比較的高圧に耐えると共に、フィルタの変形量を抑制すると共に、僅かの変形に対しても十分な復元性を有し、極めて高効率な濾過作業ができるフィルタ装置及びその製造法とすること。【構成】襞を有する筒状のフィルタ１と、液状の合成樹脂製接着剤３ａが硬化してなる硬化性板体３と、ネット状シート材４とを備えること。前記硬化性板体３は、前記フィルタ１の上下の上下方向端部が埋め込まれる構成とすると共に前記ネット状シート材４は前記フィルタ１の上限両端に当接するようにして前記硬化性板体３ａ内に埋め込まれる構成とすること。前記硬化性板体３は、金型２により形成されること。【選択図】      図１
2018083165.tif 000002
【特許請求の範囲】
【請求項１】
襞を有する筒状のフィルタと、液状の合成樹脂製接着剤が硬化してなる硬化性板体と、ネット状シート材とを備え、前記硬化性板体は、前記フィルタの上下の上下方向端部が埋め込まれる構成とすると共に前記ネット状シート材は前記フィルタの上限両端に当接するようにして前記硬化性板体内に埋め込まれる構成としてなることを特徴とするフィルタ装置。
【請求項２】
請求項１に記載のフィルタ装置において、前記ネット状シート材は、一方が平坦面とし、他方は突起部を有する凹凸状面とし、該凹凸状面は前記金型側に面する構成としてなることを特徴とするフィルタ装置。
【請求項３】
請求項１又は２に記載のフィルタ装置において、前記ネット状シート材の直径は、前記フィルタの外径と同等以上としてなることを特徴とするフィルタ装置。
【請求項４】
請求項１，２又は３の何れか１項に記載のフィルタ装置において、前記ネット状シート材の網目は細かく形成されてなることを特徴とするフィルタ装置。
【請求項５】
外周立上がり縁を有し、所定の深さを有する底部の中心に円柱部を有する金型に、液状の合成樹脂製接着剤を充填すると共にネット状シート材を配置し、襞を有する筒状のフィルタの上下方向下端部分を前記合成樹脂製接着剤内で且つ前記ネット状シート材上に配置し、前記合成樹脂製接着剤が硬化して硬化性板体として形成された後、筒状の前記フィルタを硬化性板体と共に前記金型から外し、前記フィルタを上下方向にひっくり返して上端箇所を下方とし、前記金型に前記合成樹脂製接着剤を充填すると共に前記ネット状シート材を前記合成樹脂製接着剤内に配置し、前記合成樹脂製接着剤が硬化して硬化性板体として形成した後、前記フィルタを硬化性板体と共に前記金型から外してなることを特徴とするフィルタ装置の製造法。
【発明の詳細な説明】
【技術分野】
【０００１】
本発明は、比較的高圧に耐えると共に、フィルタの変形量を抑制すると共に、僅かの変形に対しても十分な復元性を有し、極めて高効率な濾過作業ができるフィルタ装置及びその製造法に関する。
【背景技術】
【０００２】
従来より、フィルタ装置としては，その内部のフィルタが、通常，濾紙，繊維，織布又は不織布から構成されている。例えば，放電加工機の加工液浄化するフィルタにおいては、使用する時間につれてスラッジがフィルタに捉えられるに従って，供給側での圧力が高くなり、スラッジで詰まり且つ耐圧力に達する前に、フィルタ効率は極端に落ちるために、その圧力を検知してフィルタ装置を交換している現状である。
【０００３】
該フィルタ装置では、特に、省スペースが要求される現状において、限られたスペース内でフィルタ効率を上げ、可能な限りの濾過面積を確保するために、フィルタを連続する襞状に形成した筒状フィルタとして浄化装置のケース内に収納している。また、放電加工機の加工液浄化のフィルタ装置には，大別すると，スラッジを含み加圧して供給される加工液を，筒状のフィルタの内外のどちら側で濾過するかにより，内圧式フィルタ装置と外圧式フィルタ装置とに区別される。
【０００４】
内圧式フィルタ装置としては、内部にスラッジを集めるので，濾過が進めば進むほど濾過能力が低下する。濾過能力を一定以上にするには，フィルタ全体を大型化せざるを得ず，フィルタを大型化すると，スラッジが蓄積したときに装置全体が重くなり，フィルタの交換の作業性が悪化する。供給される加工液はフィルタに対し外側に向かって圧力を及ぼすので，フィルタを耐圧性のあるものに製作する必要がある。
【０００５】
内圧式フィルタ装置において、加圧すると、フィルタの中央箇所が膨出して筒状フィルタの上下端と、上蓋、下蓋との接着剤箇所が剥がれたり、割れ状態が発生しており、十分な加圧力を掛けることができない欠点があった。また、市販されているフィルタ装置としては、供給される加工液はフィルタに対し外側に向かって圧力を及ぼすため、耐圧性の優れたものを製作している。筒状フィルタの上下端と、上蓋、下蓋とが接着剤にて水密的に固着され、筒状フィルタの上下端と上蓋、下蓋とが一体化している。以上述べたように、濾過フィルタには極めて大きな圧力がかかり、この圧力によってフィルタが破損することが多かった。
【先行技術文献】
【特許文献】
【０００６】
【特許文献１】実開昭６２−１４０９０９号公報
【発明の概要】
【発明が解決しようとする課題】
【０００７】
このような状況に対して、圧力に強いフィルタとして特許文献１が存在する。特許文献１では、フィルタエレメント(10)は、内筒濾紙(12)及び外筒濾紙(14)を備えており、内筒濾紙(12)及び外筒濾紙(14)の上下方向両端にエンドプレート(20)及びエンドプレート(21)が嵌合により接合されている。また、エンドプレート(20)及びエンドプレート(21)には円弧状凹部(32)によって極めて強固な構造にすることが開示されている。
【０００８】
しかし、特許文献１は、エンドプレート(20)及びエンドプレート(21)を強化することが開示されているが、内筒濾紙(12)及び外筒濾紙(14)との接続構造は嵌合する構成としたものである。したがって、濾過動作時にフィルタエレメント(10)にかかる圧力が、比較的低圧力（例えは、１kg／cm２〜約２kg／cm２程度）であっても、エンドプレート(20,21)は
、内筒濾紙(12)及び外筒濾紙(14)に対して嵌合による接合であるために、エンドプレート(20)及びエンドプレート(21)が加圧力にて変形などすると、フィルタエレメント(10)から外れてしまうことがあり、使用に供することができないというおそれがある。
【０００９】
さらに、特許文献１では、前述したように、内筒濾紙(12)及び外筒濾紙(14)と、エンドプレート(20)及びエンドプレート(21)とは、嵌合による接合であるため、これを部品として運送したり又は作業する場合においての振動又は外部荷重などの要因にて、フィルタエレメント(10)と、エンドプレート(20)及びエンドプレート(21)とが外れて破損するおそれが十分にあった。
【００１０】
そこで、本発明が解決しようとする課題（技術的課題又は目的等）は、使用圧力にも充分に耐えうるものとしつつ、分解再利用ができるフィルタ装置であって、硬化性板体箇所の破損防止を提供することにあり、硬化性板体箇所を破損防止できるフィルタ装置を提供し、且つその製造も簡単にできるようにすることである。
【課題を解決するための手段】
【００１１】
そこで、発明者は上記課題を解決すべく鋭意、研究を重ねた結果、請求項１の発明を、襞を有する筒状のフィルタと、液状の合成樹脂製接着剤が硬化してなる硬化性板体と、ネット状シート材とを備え、前記硬化性板体は、前記フィルタ１の上下の上下方向端部が埋め込まれる構成とすると共に前記ネット状シート材は前記フィルタの上限両端に当接するようにして前記硬化性板体内に埋め込まれる構成としてなるフィルタ装置としたことにより、上記課題を解決した。
【００１２】
請求項２の発明を、請求項１に記載のフィルタ装置において、前記ネット状シート材は、一方が平坦面とし、他方は突起部を有する凹凸状面とし、該凹凸状面は前記金型側に面する構成としてなるフィルタ装置としたことにより、上記課題を解決した。請求項３の発明を、請求項１又は２に記載のフィルタ装置において、前記ネット状シート材の直径は、前記フィルタの外径と同等以上としてなるフィルタ装置としたことにより、上記課題を解決した。請求項４の発明を、請求項１，２又は３の何れか１項に記載のフィルタ装置において、前記ネット状シート材の網目は細かく形成されてなるフィルタ装置としたことにより、上記課題を解決した。
【００１３】
請求項５の発明を、外周立上がり縁を有し、所定の深さを有する底部の中心に円柱部を有する金型に、液状の合成樹脂製接着剤を充填すると共にネット状シート材を配置し、襞を有する筒状のフィルタの上下方向下端部分を前記合成樹脂製接着剤内で且つ前記ネット状シート材上に配置し、前記合成樹脂製接着剤が硬化して硬化性板体として形成された後、筒状の前記フィルタを硬化性板体と共に前記金型から外し、前記フィルタを上下方向にひっくり返して上端箇所を下方とし、前記金型に前記合成樹脂製接着剤を充填すると共に前記ネット状シート材を前記合成樹脂製接着剤内に配置し、前記合成樹脂製接着剤が硬化して硬化性板体として形成した後、前記フィルタを硬化性板体と共に前記金型から外してなるフィルタ装置の製造法としたことにより、前記課題を解決した。
【発明の効果】
【００１４】
請求項１の発明では、フィルタ装置を極めて強固で且つ耐久性のある構造にすることができる。詳述すると、濾過動作時にはフィルタに圧力がかかり、特にフィルタの上下両端を保護する硬化性板体に大きな圧力がかかる。これによって、フィルタの上下方向の両端部分の形状が変形し、これによって硬化性板体にも、圧力による負荷がかかり、変形しようとする。そのため、硬化性板体はフィルタから外れたり或いは破損し、その結果、濾過性能を劣化させるおそれがあった。
【００１５】
本発明では、フィルタの上下両端を水密的に補強する硬化性板体内に、ネット状シート材が埋め込まれた構成とした。これによって、該ネット状シート材が硬化性板体を補強することができ、該硬化性板体が大きく変形することを防止でき、優れた耐久性を有する者にでき、濾過性能を長期に亘って維持することができる。
【００１６】
また、ネット状シート材自体は、柔軟性を有しており、該ネット状シート材によって硬化性板体の柔軟性を向上させることができる。これによって、硬化性板体は弾性範囲が広くなり、形状の復元が可能な変形範囲も広くなる。このため、硬化性板体自体の柔軟性を維持しつつ、過大な圧力がかかっても硬化性板体が割れることを防止できる。
【００１７】
したがって、濾過動作時にフィルタと共に上下両端に設けられた硬化性板体が変形しても、フィルタとの接合状態を極めて良好に維持することができ、優れた濾過性能を維持することができる。さらに、たとえ、長期にわたっての使用にて、硬化性板体が劣化し、割れ破壊を起こしても、ネット状シート材により、破片の飛散を防止し、フィルタ装置全体に及ぼす悪影響を最小限に抑えることができる。
【００１８】
請求項２の発明では、ネット状シート材は、一方が平坦面とし、他方は突起部を有する凹凸状面とし、該凹凸状面は前記金型側に面する構成としたことにより、硬化性板体内にネット状シート材が埋め込まれた構造にすることが容易にできる。上記効果を詳述すると、フィルタ装置の組付において、液状から硬化することにより硬化性板体となる合成樹脂製接着剤が使用される。
【００１９】
そして、該合成樹脂製接着剤は、所定の金型にネット状シート材と共に流し込み、硬化性板体を製造するものであるが、ここで、ネット状シート材の凹凸面側の突起部を金型の底部側に接触するように載置すると、ネット状シート材は突起部によって、底部上から僅かに浮かび上がった状態にすることができる。
【００２０】
この状態で金型に液状の合成樹脂製接着剤を注入し、合成樹脂製接着剤が所定時間経過により、硬化性板体となった段階でネット状シート材は、硬化性板体内に埋め込まれた状態にすることが極めて容易にできるものである。本発明では、このような構成に組み付けることが簡単にでき、製造効率も向上させることができる。
【００２１】
請求項３の発明では、ネット状シート材の直径は、前記フィルタの外径と同等以上としたことにより、フィルタの上下方向両端をより一層強固に保護することができる。請求項４の発明では、ネット状シート材の網目は細かく形成されてなる構成としたことにより、ネット状シート材は柔軟性を有しつつも、延性が強化され、ネット状シート材が埋め込まれた硬化性板体とフィルタとをより一層強固に保護することができる。
【００２２】
請求項５の発明では、本発明におけるフィルタ装置を極めて効率的に組み付けることができる。また、前記金型の直径中心位置には円柱部を設けておくことにより、合成樹脂製接着剤が硬化して硬化性板体が形成されたときに、該硬化性板体の中心箇所に濾過動作における液体の流入口又は流出口を容易に形成できる。また、ネット状シート材を、金型の底部に配置するときには、前記円柱部はネット状シート材の配置における位置決めとしての役目をなすことができる。
【図面の簡単な説明】
【００２３】
【図１】本発明のフィルタ装置の斜視図、（Ｂ）は本発明のフィルタ装置の縦断側面図、（Ｃ）は（Ｂ）の（α）部拡大図である。
【図２】（Ａ）は金型にネット状シート材を配置しようとする工程の斜視図、（Ｂ）は金型に配置されたネット状シート材上に合成樹脂製接着剤が注入され且つフィルタの下端を挿入しようとする工程の斜視図、（Ｃ）は硬化性板体が形成されたフィルタを金型から外した工程の斜視図である。
【図３】（Ａ）乃至（Ｅ）はフィルタ装置を組み立てる工程を示す略示断面図。
【図４】（Ａ）は金型に載置されたネット状シート材と注入された合成樹脂製接着剤が硬化した硬化性板体とフィルタの要部拡大断面図、（Ｂ）は（Ａ）の（β）部拡大図、（Ｃ）はネット状シート材が配置された金型内部に合成樹脂製接着剤を注入している状態を示す要部拡大断面図である。
【図５】（Ａ）は本発明フィルタの濾過動作時に通常の圧力がかかっている状態を示す略示図、（Ｂ）は本発明フィルタの濾過動作時に過度又は異常な圧力が加わっている状態を示す略示図、（Ｃ）は（Ｂ）の（γ）部拡大図である。
【発明を実施するための形態】
【００２４】
以下、本発明の実施形態について図面に基づいて説明する。まず、本発明におけるフィルタ装置は、内圧式に対応するタイプであり、主に、フィルタ１と、硬化性板体３と、ネット状シート材４とを備えたものである（図１参照）。また、本発明におけるフィルタ装置を製造するために、金型２と合成樹脂製接着剤３ａを必要とする。
【００２５】
前記フィルタ１は、紙、繊維、織布又は不織布などで構成されたものであり、断面円形の筒状としたものが基本型である。さらに、濾過効率を上げるように平面的に見て多数の折返し片１１、１１、…が連続する襞状を有し、多数の襞により断面が星形状として環状形成されたものが存在する（図１，図２参照）。
【００２６】
筒状のフィルタ１の長手方向を上下方向とするとその下端１ａ及び上端１ｂには、後述する硬化性板体３にて水密且つ補強される。また、フィルタ１の直径方向中心周囲には多数の前記折返し片１１、１１、…集中する芯部１ｃとなっている〔図１（Ｂ），図２（Ｂ），（Ｃ）参照〕。該芯部１ｃは上下方向に断面が同一形状となっている。
【００２７】
硬化性板体３は、エポキシ系硬化性接着剤，塩化ビニル系接着剤又はウレタン系硬化性接着剤などの合成樹脂製接着剤３ａにて構成されている。該合成樹脂製接着剤３ａは、常温では、液状であり、具体的にはゲル状又はゼリー状の流動性を有した接着剤である。合成樹脂製接着剤３ａは、容器に保存された状態では、ゲル状又はゼリー状の流動性を有した接着剤であって、外気に触れると所定時間経過後に硬化して強固な硬質の板体となる。このようなものとして、ウレタン系硬化性接着剤の使用が好ましい。硬化性板体３は、略円板形状をなし、その中心（直径方向中心）に開口部３１が形成されている。該開口部３１は、芯部１ｃと連通し、流入口及び流出口の役目をなす。
【００２８】
次に、ネット状シート材４は、全体が円板形状をなしており、中心に円形状の孔４３が形成されている〔図２（Ａ）参照〕。ネット状シート材４の直径Ｄ2は、前記金型２の内周側面２２の内部に収まる程度となっている（図２参照）。具体的には、内周側面２２の内径と略同等又は僅かに小さい程度である。また、前記孔４３は、金型２の円柱部２３が挿通するための部位であり、孔４３の内径は、円柱部２３の外径と同等又は僅かに大きい程度である。
【００２９】
ネット状シート材４は、合成樹脂製であり、柔軟且つ剛性を有するものである。つまり外力がかかっても、形状が変形しにくいものであり、また、復元性を有し、元の円形状を維持することができるものである。ネット状シート材４は、多数の線状部４１，４１，…が直角に交差して網状となり、これによって多数の小さな網目４２，４２，…を有するものである〔図２（Ａ）参照〕。網目４２は、略方形状であるが円形状とすることもある。
【００３０】
また、ネット状シート材４の両面は異なる実施形態が存在し、一方の面は平坦面４ａとし、他方の面は凹凸面４ｂとなる〔図１（Ｂ），（Ｃ），図４等参照〕。平坦面４ａは、前記フィルタ１の下端及び上端が当接する側であり、相互に面接触が可能となるように、平坦面４ａは、網目４２，４２，…部分を除いて平坦である。また、凹凸面４ｂは、金型２の底部２１と対面する部位であり、多数の突起部４４，４４，…を有している。突起部４４，４４，…は、主に線状部４１，４１，…が交差する部分であり、換言すると方形状の網目４２の４個の角部に形成されている。
【００３１】
前記突起部４４，４４，…によって、ネット状シート材４を金型２の底部２１に載置したときに、前記突起部４４を除いた部分は、底部２１から僅かに浮いた状態となる（図３，図４参照）。突起部４４によってネット状シート材４が金型２の底部２１から浮かぶ高さは僅かであり、具体的には約１ｍｍ前後である。
【００３２】
ネット状シート材４は、前記硬化性板体３の内部にフィルタ１の上下の端部と共に埋め込まれる状態となり、フィルタ１は上下の金型２と共にフィルタ１を保護するものである。また、ネット状シート材４の直径Ｄ2は、フィルタ１の外径Ｄ1と同等以上としている。そして、ネット状シート材４の直径Ｄ2がフィルタ１の直径Ｄ1よりも僅かに大きいことが好ましい。
【００３３】
つまり、
2018083165.tif 000003
である。
【００３４】
次に、本発明のフィルタ装置の製造法について、図２乃至図４に基づいて説明する。まず、フィルタ装置を製造するための金型２について説明する。金型２は、扁平円筒状の窪みが形成されたもので、円形状の底部２１の外周に円周壁面状の内周側面２２が形成されたものである〔図２（Ａ）参照〕。
【００３５】
底部２１を基準にして内周側面２２の高さは、成形される硬化性板体３の厚みにも影響することから、フィルタ１のサイズ等、種々の条件に基づいて適宜選択される。前記底部２１の中央には、前記内周側面２２と同一（略同一も含む）高さ又はそれ以上の高さを有する円柱部２３が形成されている。該円柱部２３は、硬化性板体３に対して、その中心位置に流入口又は流出口等の開口部３１を形成する役目をなす。
【００３６】
金型２の底部２１上にネット状シート材４を配置する〔図２（Ａ），図３（Ａ）参照〕。このとき、ネット状シート材４の凹凸面４ｂ側を金型２の底部２１に対向させる。これによって、ネット状シート材４は、多数の突起部４４，４４，…によって、金型２の底部２１上から僅かに浮きあがった状態に設置される。金型２の円柱部２３は、ネット状シート材４の孔４３に挿入させる〔図３（Ｂ）参照〕。
【００３７】
次に、金型２の底部２１と内周側面２２によって構成された扁平円筒状の窪みに液状の合成樹脂製接着剤３ａを注入する〔図２（Ｂ），図３（Ｂ）参照〕。該合成樹脂製接着剤３ａの注入工程で、ネット状シート材４は、突起部４４，４４，…により底部２１から僅かに浮かび上がった状態であるため、合成樹脂製接着剤３ａ内に埋まる状態となる〔図３（Ｂ），図４参照〕。
【００３８】
ネット状シート材４の網目４２，４２，…部分には、液状の合成樹脂製接着剤３ａが入り込む〔図４（Ｃ）参照〕。また、ネット状シート材４は、突起部４４，４４，…によって、底部２１上から僅かに浮かび上がる状態なので、ネット状シート材４と金型２の底部２１との間に隙間が生じ、該隙間にも液状の合成樹脂製接着剤３ａが入り込むことになる〔図３（Ｂ），図４（Ｃ）参照〕。液状の合成樹脂製接着剤３ａは、金型２に略いっぱいとなるように注入され充填されることになる。
【００３９】
次いで、合成樹脂製接着剤３ａが液状であるうちに、フィルタ１の下端１ａを金型２の扁平窪み内に挿入し、ネット状シート材４の平坦面４ａ上に載置する〔図３（Ｃ）参照〕。このとき、フィルタ１の下端部分はネット状シート材４の平坦面４ａ上に面接触状態で当接するように設定する。このままの状態で、液状の合成樹脂製接着剤３ａが自然に硬化して硬化性板体３となるまで待機する〔図３（Ｄ），図４（Ａ），（Ｂ）参照〕。
【００４０】
金型２内にて液状の合成樹脂製接着剤３ａが所定時間後に十分に硬化した状態して硬化性板体３に変化したときに、フィルタ１を硬化性板体３と共に金型２から外して、フィルタ１及び硬化性板体３と金型２とを分離する。そして、前記フィルタ１の上下をひっくり返し、前述したのと同様に、金型２の底部２１上にネット状シート材４を載置し、液状の合成樹脂製接着剤３ａを注入し、前記ネット状シート材４の平坦面４ａ上にフィルタ１の上端を載置し、合成樹脂製接着剤３ａを硬化させる。このようにして、フィルタ１の上下方向の下端１ａ及び上端１ｂにネット状シート材４を埋め込んだ硬化性板体３を設ける。
【００４１】
本発明における製造法では、金型２に合成樹脂製接着剤３ａを注入すると共にネット状シート材４を配置するものであり、上記の製造法の実施形態では、金型２にネット状シート材４を載置してから液状の合成樹脂製接着剤３ａを注入したが、この手順に限定されるものではない。したがって、金型２に合成樹脂製接着剤３ａを注入にしてからすぐにネット状シート材４を配置する順序でもかまわない。
【００４２】
本発明では、硬化した硬化性板体３には、ネット状シート材４が埋め込まれた状態であり、硬化性板体３内にてネット状シート材とフィルタ１の上下方向の端部が当接する構造である（図１参照）。このようにして構成されたフィルタ装置は、図示されないフィルタケースに収納されて濾過器として使用されるものである。
【００４３】
濾過動作中では、フィルタ１に圧力が掛かり、特に上下方向の上端１ｂ及び下端１ａに圧力が集中し易くなる。そのため、過度又は異常な圧力が加わると、フィルタ１の上下方向及び直径方向に変形が生じ易く、フィルタ１の適正な形状が崩れてしまい、良好な濾過動作が発揮できなくなるおそれがある。図５（Ａ）は、濾過動作において、過度又は異常な圧力がかからない状態の図である。
【００４４】
また、図５（Ｂ）では過度又は異常な圧力がかかった状態である。フィルタ１は、その中心に位置する芯部１ｃによって、中心部分が他の部分よりも強固となり、濾過動作時に大きな圧力が加わると、フィルタ１の中心付近と外周部分を除く部分が断面略円弧状に凹み、フィルタ１の外周側面部分が外方に膨らむように変形する〔図５（Ｂ）参照〕。
【００４５】
本発明では、フィルタ１の上下方向両端に設けられた硬化性板体３にネット状シート材４が埋め込まれた構成としたものである。したがって、濾過動作時にフィルタ１の上下に過度又は異常な圧力ｐ，ｐ，…が加わることとなり、前述したように、フィルタ１の中心付近と外周部分を除く部分が断面略円弧状に凹むと、これにしたがって硬化性板体３も同様に中心部分と外周部分とを除く面が凹状に凹むことになる〔図５（Ｂ）参照〕。
【００４６】
そして、フィルタ１の変形により、硬化性板体３が変形しようとしても、該硬化性板体３内部に埋め込まれたネット状シート材４によって、硬化性板体３は、水平方向復元力ｆｈ及び垂直方向復元力ｆｖが作用し、硬化性板体３及びフィルタ１の上下及び直径両方向に変形することを防止できる〔図５(Ｃ)参照〕。
【００４７】
また、フィルタ１の多少の変形に対して、硬化性板体３はネット状シート材４と共に、柔軟性を有して変形且つ復元できるので、フィルタ１に対して水密性のある接合を良好に維持することができる。よって、濾過性能を劣化させることなく使用することができる。
【符号の説明】
【００４８】
１…フィルタ、２…金型、２１…底部、２２…外周立上がり縁、２３…円柱部、
３…硬化性板体、３ａ…合成樹脂製接着剤、４…ネット状シート材、４ａ…平坦面、
４ｂ…凹凸面、４４…突起部。
【図１】
2018083165.tif 000004
【図２】
2018083165.tif 000005
【図３】
2018083165.tif 000006
【図４】
2018083165.tif 000007
【図５】
2018083165.tif 000008